(57)【要約】  湾曲レンズ素子と共に使用するためのデュアルモード拡張／仮想現実ニアアイウェアラブルディスプレイ。上記レンズは、上記レンズの厚さ内に配置された１つ又は複数の透明導波路素子を備える。上記導波路素子は、発光式ディスプレイイメージャ等の画像ソースから、視認者の視野内の１つ又は複数の出口アパーチャ部分領域へと、表示画像を直接結合させるよう構成される。好ましい実施形態では、複数の画像ソースはレンズの周縁表面上に配置され、これにより各画像ソースは、専用の入力画像アパーチャ及び出口アパーチャ部分領域を有し、これらはそれぞれ「区分的に平坦」であり、また適合した発散領域及び角度を有し、これにより、視認者の視野内の複数の画像ソースの画像の出力が視認者に提示される。【選択図】図２
2018533765.tif 000002
【特許請求の範囲】
【請求項１】
シーン側の第１の表面、視認者側の第２の表面、及びレンズ周縁表面を備える、光学レンズ素子；
前記光学レンズ素子の前記シーン側の第１の表面と前記視認者側の第２の表面との間の前記レンズ周縁表面上に配置された、少なくとも１つの電子制御式発光性画像ソース
から構成される、デュアルモード拡張／仮想現実ニアアイディスプレイデバイスであって、
各前記電子制御式発光性画像ソースは、前記視認者側の第２の表面上の導波路層と関連付けられ、前記導波路層は全体として、前記視認者側の第２の表面の視認可能領域を被覆し、前記導波路層は、前記電子制御式発光性画像ソースから、前記デュアルモード拡張／仮想現実ニアアイディスプレイデバイスの視認者の眼に向かって、画像部分を再配向し；
各前記電子制御式発光性画像ソースは、前記光学レンズ素子の前記シーン側の第１の表面と前記視認者側の第２の表面との間の前記レンズ周縁表面上に位置決めされ、
画像又は画像部分を、各前記導波路層への導波路構造体として作用する前記光学レンズ素子の一部を通して配向し；
これにより、全体として視認可能な、電子制御可能な画像を、前記デュアルモード拡張／仮想現実ニアアイディスプレイデバイスの前記視認者の前記眼に対して提示できる、デュアルモード拡張／仮想現実ニアアイディスプレイデバイス。
【請求項２】
前記少なくとも１つの電子制御式発光性画像ソースは、複数の電子制御式発光性画像ソースを備え、
各前記電子制御式発光性画像ソースは、ピクセル毎に独立して空間的、色的及び時間的にアドレス指定できる、請求項１に記載のデバイス。
【請求項３】
前記少なくとも１つの電子制御式発光性画像ソースは、前記光学レンズ素子の前記シーン側の第１の表面からの全内部反射を少なくとも部分的に用いて、前記光学レンズ素子内の前記光導波路構造体を通して各前記導波路層に光学的に結合される、請求項２に記載のデバイス。
【請求項４】
前記全体として視認可能な、電子制御可能な画像は、メモリに保存されている、又は必要に応じてオンデマンドで生成される、又はこれら両方の、より大きな画像の一部であり、
前記視認者の頭の運動を感知するための頭運動センサ；並びに
前記頭運動センサに応答して、各前記導波路層を通して視認可能な前記より大きな画像の前記一部、及び前記一部を表示する方法を、前記頭の運動を用いて制御することによって、拡張現実モードにおいて現実の画像及び拡張画像の整列を維持する、又は仮想現実モードにおいて前記視認可能な画像の空間的位置を固定して視認者の体験に付加する、処理要素
を更に備える、請求項２のデバイス。
【請求項５】
前記視認者の眼と光学的に通信して前記視認者の１つ又は複数の眼のパラメータを追跡する、各前記電子制御式発光性画像ソースに関連付けられた画像検出センサを更に備える、請求項２に記載のデバイス。
【請求項６】
前記シーン側の第１の表面は、第１の導電性透明薄膜層と第２の導電性透明薄膜層との間に配置された電気的に可変である光透過層を有する電気着色層を備える、請求項１に記載のデバイス。
【請求項７】
前記可変光透過層は、ポリマー分散液晶材料で構成される、請求項６に記載のデバイス。
【請求項８】
前記少なくとも１つの薄膜層は、インジウム‐スズ酸化物材料で構成される、請求項６に記載のデバイス。
【請求項９】
少なくとも１つの環境光センサ；並びに
前記電子制御式発光性画像ソース及び前記電気着色層を制御して、前記電子制御式発光性画像ソースと、前記電気着色層を通して視認可能な現実の画像との間の相対輝度を制御するための、前記環境光センサに応答する処理要素
を更に備える、請求項６に記載のデバイス。
【請求項１０】
前記デバイスと音声通信するための、マイクロフォン及びスピーカを備えるオーディオインタフェースを更に備える、請求項６に記載のデバイス。
【請求項１１】
前記デバイス又は前記電気着色層の動作モードを制御するためのタッチセンサを更に備える、請求項６に記載のデバイス。
【請求項１２】
前記タッチセンサは、タッチ・アンド・ドラッグセンサを含む、請求項１１に記載のデバイス。
【請求項１３】
前記導波路層は、微小刻印切子面構造を備える、請求項１に記載のデバイス。
【請求項１４】
前記微小刻印切子面構造は、表面レリーフ光学素子を備える、請求項１３に記載のデバイス。
【請求項１５】
前記導波路層は、体積レリーフ回折光学素子を備える、請求項１に記載のデバイス。
【請求項１６】
前記導波路層は、回折格子を備える、請求項１に記載のデバイス。
【請求項１７】
前記導波路層は、ブレーズド回折格子を備える、請求項１に記載のデバイス。
【請求項１８】
前記導波路層は、マルチレベル回折格子を備える、請求項１に記載のデバイス。
【請求項１９】
前記導波路層は、ブラッグ回折格子を備える、請求項１に記載のデバイス。
【請求項２０】
前記デバイスは、湾曲した外観を有する、請求項１に記載のデバイス。
【請求項２１】
テンプル組立体を含むフレーム内に、前記デバイスの相補的なペアを備える、請求項１に記載のデバイス。
【請求項２２】
ポストプロセッサ及び／又はサーバへの有線又は無線通信リンクを更に備える、請求項１に記載のデバイス。
【請求項２３】
処理要素を更に備え、
前記処理要素は、表示されるコンテンツ内に頻繁に出現する対象物、アイコン及び／又はマーカの参照画像のサブセットを処理要素メモリにおいて常に把握し、続いて、前記参照画像のサブセットの細部を簡約して、処理及びメモリ要件を削減し、電力消費を削減する能力を備える、請求項１に記載のデバイス。
【請求項２４】
処理要素を更に備え、
前記処理要素は、前記デバイスに表示するべき前記コンテンツをフレーム毎に分析して、色域原色の座標に対して色域サイズを推定し、続いて、前記視認者に表示されている前記画像の変調時に測定した色域原色を用いて、前記複数の画像ソースに、推定された前記色域を合成するよう命令する能力を備える、請求項１に記載のデバイス。
【請求項２５】
ユーザが表示された画像を認識した時を感知して、認識及び表示された前記画像又はシーンを所定の画像データで補足又は修正するよう構成された、処理要素を更に備える、請求項１に記載のデバイス。
【発明の詳細な説明】
【関連出願の相互参照】
【０００１】
本出願は、２０１５年１０月１６日出願の米国仮特許出願第６２／２４２，９６３号の優先権を主張するものであり、上記仮特許出願の内容は、参照により、本出願中に完全に言及されているかのように本出願に援用される。
【技術分野】
【０００２】
本発明は一般に、ウェアラブル電子装置に関し、より詳細には、デュアルモード拡張／仮想現実ニアアイ（ｎｅａｒ‐ｅｙｅ）ウェアラブルディスプレイに関する。
【背景技術】
【０００３】
ウェアラブル光学電子装置は、集積回路のサイズ、重量及び電力（ｓｉｚｅ，  ｗｅｉｇｈｔ  ａｎｄ  ｐｏｗｅｒ：ＳＷａＰ）、並びにコストが縮小するに従って、一般化している。ウェアラブル光学電子装置は、多数の市販、軍事及び消費者向け用途を有する。ウェアラブル光学電子装置に関して、非平面プロファイル及び表面を有する湾曲レンズの形状を有する高解像度デュアルモード拡張／仮想現実ニアアイウェアラブルディスプレイに対する需要に対処する従来技術は存在せず、このような湾曲レンズのプロファイルは、ほとんど消費者向け及びその他の用途のみに使用され、ファッショナブルで審美的満足を与えるものであると考えられている。本明細書において開示される発明は、このようなニアアイウェアラブルディスプレイに対する需要に対処し、このようなニアアイウェアラブルディスプレイを実現可能とする。
【図面の簡単な説明】
【０００４】
【図１】図１は、本発明のデュアルモード拡張／仮想現実ニアアイウェアラブルディスプレイの斜視図である。
【図２】図２は、本発明のデュアルモード拡張／仮想現実ニアアイウェアラブルディスプレイの上面平面図である。
【図３Ａ】図３Ａは、本発明の光学レンズを示す。
【図３Ｂ】図３Ｂは、図３Ａのレンズの断面図である。
【図３Ｃ】図３Ｃは、図３Ａのレンズ素子の上面図である。
【図４】図４は、本発明のデュアルモード拡張／仮想現実ニアアイウェアラブルディスプレイのレンズを示し、上記レンズの光導波路構造体を図示する。
【図５】図５は、本発明のデュアルモード拡張／仮想現実ニアアイウェアラブルディスプレイの斜視図であり、バッテリと、ディスプレイフレームのテンプルのコネクタとを示す。
【発明を実施するための形態】
【０００５】
本発明及びその様々な実施形態について、以下の好ましい実施形態の説明において記載する。これらは、後続の請求項中において、本発明の図示された実施例として提示される。このような請求項によって定義される本発明は、以下に記載される図示された実施形態より幅広いものとなり得ることを明記しておく。
【０００６】
説明及び様々な図（複数の図にわたって、同様の参照符号が同様の要素を示す）に移ると、開示されているのは、限定するものではないが湾曲レンズと共に使用するための、デュアルモード拡張／仮想現実ニアアイウェアラブルディスプレイである。
【０００７】
本発明の第１の態様では、デュアルモード拡張／仮想現実ニアアイウェアラブルディスプレイが開示されており、これは、第１の（シーン側）表面、レンズ厚さ、レンズ周縁部又は表面を備える光学レンズを備える。第１の表面は、第１の導電性透明薄膜層と第２の導電性透明薄膜層との間に配置された可変光透過層を備える、電気着色層を備える。第１及び第２の導電性透明薄膜層はそれぞれ、上記可変光透過層の光透過率を変更するよう構成された制御回路構成に結合される。１つ又は複数の光導波路構造体がレンズ厚さ内に設けられ、これは、少なくとも１つの入力画像アパーチャ及び少なくとも１つの出口アパーチャを備えてよく、上記出口アパーチャは、複数の出口アパーチャ部分領域に分割されていてよい。電子ディスプレイ素子等の１つ又は複数の画像ソースが、それぞれの入力画像アパーチャに光学的に結合される。上記画像ソースは、レンズの周縁（即ち縁部又は側部）表面上に配置してよく、また、画像ソースから表示された光学画像を、入力画像アパーチャに直接、そしてこれに続いて出口アパーチャに、又は複数の入力画像アパーチャから複数の出口アパーチャ部分領域それぞれに、直接光学的に結合させるよう構成してよい。出口アパーチャの、又は出口アパーチャ部分領域の光学特性は好ましくは、各入力画像アパーチャの所定の面積及び所定の発散角度に適合するよう構成される。
【０００８】
可変光透過層がポリマー分散液晶（ｐｏｌｙｍｅｒ  ｄｉｓｐｅｒｓｅｄ  ｌｉｑｕｉｄ  ｃｒｙｓｔａｌ：ＰＤＬＣ）材料からなる、デュアルモード拡張／仮想現実ニアアイウェアラブルディスプレイを提供できる。レンズ素子内に配置された複数の光導波路構造体がそれぞれ独立して「区分的に平坦（ｐｉｅｃｅｗｉｓｅ  ｆｌａｔ）」である、デュアルモード拡張／仮想現実ニアアイウェアラブルディスプレイを提供できる。
【０００９】
区分的に平坦である複数の光導波路構造体が、複数の画像部分を提供し、これら複数の画像部分を傾斜した構成でまとめて組み合わせることによって、湾曲又は非平面表面及びプロファイルを有する光学レンズを画定する、デュアルモード拡張／仮想現実ニアアイウェアラブルディスプレイを提供できる。複数の光導波路構造体がそれぞれ、結合された画像を、その入力画像アパーチャからその出口アパーチャ又は出口アパーチャ部分領域へと再配向するよう構成された、デュアルモード拡張／仮想現実ニアアイウェアラブルディスプレイを提供できる。区分的に平坦である光導波路構造体の使用の代替例も開示される。
【００１０】
デュアルモード拡張／仮想現実ニアアイウェアラブルディスプレイの出力アイボックスを集合的に画定する、デュアルモード拡張／仮想現実ニアアイウェアラブルディスプレイを更に提供できる。複数の光導波路構造体がそれぞれ、専用の入力画像アパーチャ及び出口アパーチャ部分領域を有し、これらは専用の独立した画像ソースに結合される、デュアルモード拡張／仮想現実ニアアイウェアラブルディスプレイを提供できる。画像ソースが、独立して空間的、色的及び時間的にアドレス指定できる複数のピクセルからなる、発光マイクロスケールピクセルアレイを備える、デュアルモード拡張／仮想現実ニアアイウェアラブルディスプレイを提供できる。
【００１１】
複数の光導波路構造体がそれぞれ、視認者に対して表示するための集合画像の一部分を表示するよう構成された専用の入力画像アパーチャに結合された専用の画像ソースを有する、デュアルモード拡張／仮想現実ニアアイウェアラブルディスプレイを更に提供できる。複数の光導波路構造体がそれぞれ、別個の画像ソースから結合されたある画像部分を、デュアルモード拡張／仮想現実ニアアイウェアラブルディスプレイの対応する出口アパーチャ部分領域へと中継して拡大するよう光学的に構成される、デュアルモード拡張／仮想現実ニアアイウェアラブルディスプレイを提供できる。
【００１２】
導波路構造体が、視認者の１つ又は複数の眼の位置を追跡するよう構成された画像検出センサと光学的又は電気的に通信する、デュアルモード拡張／仮想現実ニアアイウェアラブルディスプレイを更に提供できる。少なくとも１つの薄膜層がインジウム‐スズ酸化物材料からなるデュアルモード拡張／仮想現実ニアアイウェアラブルディスプレイを提供できる。デュアルモード拡張／仮想現実ニアアイウェアラブルディスプレイは更に、視認者が表示された画像を認識した時を感知して、認識及び表示された画像を所定の画像データで補足若しくは修正する、又は視認者の視野内で表示されたシーンの一部若しくは全体を修正若しくは補足するよう構成された、処理回路構成を備えてよい。
【００１３】
光導波路構造体が、導波路層等の微小刻印切子面構造（ｍｉｃｒｏ‐ｉｍｐｒｉｎｔｅｄ  ｆａｃｅｔ  ｓｔｒｕｃｔｕｒｅ）を含む、デュアルモード拡張／仮想現実ニアアイウェアラブルディスプレイを更に提供できる。光導波路層は、微小刻印切子面構造を備えてよい。光導波路層は、表面レリーフ光学素子又は体積レリーフ回折格子導波路を備えてよい。微小刻印切子面構造は、回折格子導波路、ブレーズド回折格子導波路、マルチレベル回折格子導波路又はブラッグ回折格子導波路を備えてよい。
【００１４】
例えば図１に示すように、本発明のニアアイウェアラブルディスプレイ１は好ましくは、少なくとも１つの光学レンズ５を備える従来の外観の眼鏡フレーム‐レンズ組立体として構成される。レンズ５は、非平面表面又は区分的平面表面を備えてよく、また拡張現実（ＡＲ）、仮想現実（ＶＲ）又はハイブリッドＡＲ／ＶＲモードで動作するよう構成してよい。
【００１５】
図２、３Ａ〜Ｃ、４に移ると、レンズ５は、レンズ厚さ５’及びレンズ周縁又は縁部表面５’’からなる。図３Ｂのレンズ５の断面図に詳細に示されているように、ある好ましい実施形態では、本開示のデュアルモードＡＲ／ＶＲニアアイウェアラブルディスプレイ１のレンズ５の前側のシーン側表面１０は、電気着色層１５を備えてよい。電気着色層１５は、レンズ５を通した透過率（又は着色レベル）を電気的に制御するよう設計された、複数の薄膜層２０を備えてよい。複数の薄膜層２０は、薄膜層２０の間に挟まれた、ポリマー分散液晶（ＰＤＬＣ）材料又は同等の好適な材料といった可変光透過材料の、少なくとも１つの可変光透過層２５を備えてよい。薄膜層２０は、インジウム‐スズ酸化物（ＩＴＯ）といった、導電性の、光学的に透明な材料を含んでよい。薄膜層２０は、レンズ５の着色又は透過率レベルを電気的に変化させる（又は制御する）ために、可変光透過層２５を横断する電気信号又は電位の結合を可能とするよう構成される。可変光透過層２５の対向する側部の薄膜層２０は好ましくは電気的に絶縁され、各レンズ５の有効透過率の複数レベルの又は連続可変制御を可能とするために適切な制御回路構成に別個に電気的に結合され、透明又は無色から非透明又は暗色へと変化できる。
【００１６】
ある好ましい実施形態では、レンズ５の電気着色層１５は、透明な導電性ＩＴＯ薄膜層２０を通して、視認者によって定義された複数の電圧レベルの電気信号の結合を可能とすることによって、可変光透過ＰＤＬＣ層２５の結晶方位を制御して、レンズ５の着色レベルを無色から暗色まで、着色レベルの離散的又は連続的範囲にわたって制御下で変化させることができるように設計される。
【００１７】
レンズ５の裏側の視認者側表面３０は、１つ又は複数の光導波路構造体４０を備える（図４）。ある好ましい実施形態では、裏側表面３０は、それぞれが出口アパーチャを画定するレンズ厚さ５’内に配置された、それぞれが出口アパーチャを画定する複数の導波路層５０からなるポリマーの光学的薄膜層を備えてよい。導波路層５０は、各レンズ５の周縁表面５’’付近（好ましくは視認者の瞳孔視認領域の外側）に位置する導波路構造体４０で受承された光を、レンズの厚さ５’の各部分を通して、図４に示すように視認者の瞳孔の視認領域内に位置する各導波路層５０によって画定される所定の出口アパーチャ部分領域４５’へと、全内部反射（ｔｏｔａｌ  ｉｎｔｅｒｎａｌ  ｒｅｆｌｅｃｔｉｏｎ：ＴＩＲ）又は「導波（ｗａｖｅ‐ｇｕｉｄｅ）」できるように構成された、複数の微小刻印切子面又は同等の光学構造体として、設けることができる。（図の他の側面を不必要に不明瞭にしないよう、導波路層を全て図示してはいない。）図４は概して、レンズ５の視認領域内の複数の出口アパーチャ部分領域４５’に結合された複数の導波路構造体４０を示す。導波路層５０は一般に、各レンズ５の周縁領域に隣接する境界領域を除く、各出口アパーチャ部分領域４５’の全体に広がっており、これにより、各アパーチャ部分領域４５’の個々の画像部分の傾斜の結果として、間隙又はデッドエリアを有しない集合画像を生成できる。
【００１８】
導波路構造体４０は例えば、レンズ厚さ５’内の表面レリーフ又は体積レリーフ回折光学構造体（ＤＯＣ）を用いて製作してよく、例えば回折格子、ブレーズド回折格子、マルチレベル若しくはブラッグ回折格子、又は当該技術分野において公知であるような同等の構造体として提供してよい。
【００１９】
導波路層５０は、好ましくは可視光スペクトルをカバーする広帯域の光を回折させるよう設計してよい。
【００２０】
導波路層５０は好ましくは、１つ又は複数の画像ソース５５から放出された光を各レンズ５へ、及び視認者の瞳孔領域へと光学的に結合させるよう設計される。導波路構造体は、画像ソース５５の一部を形成する適切なマイクロレンズアレイとあわせて、各レンズ部分領域４５’に結合される画像を適切に光学的に拡大及び再配向するよう構成される。特に、各プリズム様回折格子素子上の微小刻印切子面は、互いに異なる別個の視認者定義型切子面角度を備えることができ、例えばこれは導波路層５０自体にわたって漸増又は漸減し、これにより、各画像部分を画定する出口アパーチャにおける光を、視認者の眼へと集束するよう再配向する。
【００２１】
本発明のデュアルモードＡＲ／ＶＲニアアイウェアラブルディスプレイ１は更に、少なくとも１つの画像ソース５５を備えてよく、これは各レンズ５の各導波路構造体４０に直接光学的に結合され、これにより各画像ソース５５が、多色ピクセルの２Ｄアレイを含むデジタル光学画像部分を生成及び出力できる。上述のように、各画像ソース５５は各入力アパーチャ４０に１つの画像部分を提供し、これは各レンズ５の各出口アパーチャ又は各出口アパーチャ部分領域４５’に対して提示されることになり、これにより各画像部分が、レンズ５の外縁部の小さな部分を除いて各出口アパーチャ部分領域４５’を埋め、各画像部分の傾斜によって各レンズ内に単一の復号画像を提供できる。
【００２２】
レンズ５に光学的に結合された画像ソース５５は、デュアルモード拡張／仮想現実ニアアイウェアラブルディスプレイ内のシングルビュー画像又はマルチビュー光照射野画像を修正する能力を備えてよい。
【００２３】
レンズ５に光学的に結合された画像ソース５５は好ましくは、デュアルモードＡＲ／ＶＲウェアラブルディスプレイの視認者の視野を阻害せずにレンズ５に結合できるよう、十分に小型である。
【００２４】
画像ソース５５は、ある好ましい実施形態では（「バックライト式」又は「透過性」画像ソースとは対照的に）発光タイプとすることによって、ウェアラブルディスプレイに求められるコンパクトさを実現できるように提供され、レンズ５の入力画像アパーチャ４０の表示領域及び必要な発散角度に概ね適合した画像を生成できる。発光式イメージャは、視認者の視野を不必要に阻害する嵩高い光学インタフェース又は中継要素を必要とすることなく、その発光表面から上記発光式イメージャのマイクロレンズアレイを通して光学的に結合できる。
【００２５】
レンズ５に光学的に結合された画像ソース５５は例えば、米国特許第７，６２３，５６０号；米国特許第７，８２９，９０２号；米国特許第８，５６７，９６０号；米国特許第７，７６７，４７９号；米国特許第８，０４９，２３１号；米国特許第８，２４３，７７０号に記載されている、Ｑｕａｎｔｕｍ  Ｐｈｏｔｏｎｉｃ  Ｉｍａｇｅｒｓ  （「ＱＰＩ」（商標）、Ｏｓｔｅｎｄｏ  Ｔｅｃｈｎｏｌｏｇｉｅｓ，  Ｉｎｃ．の商標）と呼ばれる種類の発光ディスプレイデバイスから提供され得、これらは、本出願の譲受人であるＯｓｔｅｎｄｏ  Ｔｅｃｈｎｏｌｏｇｉｅｓ，  Ｉｎｃ．に譲受された複数の特許及び特許出願の主題である。
【００２６】
本発明と共に画像ソース５５として使用するために好適な例示的な発光ディスプレイ素子としては、限定するものではないが、例えばそれぞれ「Ｓｐａｔｉｏ‐ｔｅｍｐｏｒａｌ  Ｄｉｒｅｃｔｉｏｎａｌ  Ｌｉｇｈｔ  Ｍｏｄｕｌａｔｏｒ」という名称の米国特許第９，１９５，０５３号；米国特許第８，８５４，７２４号；米国特許第８，９２８，９６９号で教示されている光照射野発光ディスプレイデバイス、又はそれぞれ「Ｑｕａｎｔｕｍ  Ｐｈｏｔｏｎｉｃ  Ｉｍａｇｅｒｓ  Ａｎｄ  Ｍｅｔｈｏｄｓ  Ｏｆ  Ｆａｂｒｉｃａｔｉｏｎ  Ｔｈｅｒｅｏｆ」という名称の米国特許第７，６２３，５６０号；米国特許第７，８２９，９０２号；米国特許第８，５６７，９６０号；米国特許第７，７６７，４７９号；米国特許第８，０４９，２３１号；米国特許第８，２４３，７７０号で教示されている発光ディスプレイ素子が挙げられ、これらの特許はそれぞれ、本出願の出願人に譲渡され、またその内容全体が参照により本出願に援用される。
【００２７】
上で参照した米国特許それぞれの主題である上述の画像ソースは、望ましいことに、全ての必要なディスプレイ駆動回路構成を含む単一の発光ディスプレイデバイスにおいて、高い輝度、高い解像度、及び多色光による、また一部は空間変調能力による極めて迅速な応答という特徴を有する。上で参照した特許において開示されているデバイスは本発明での使用に極めて好適であるものの、本発明の文脈において、本明細書中で使用される用語「画像ソース（ｉｍａｇｅ  ｓｏｕｒｃｅ）」は、好適なサイズの発光性マイクロスケールソリッドステート光（ＳＳＬ）放出ピクセルのアレイを備えたいずれの光電子デバイスを包含することは明らかである。このようなデバイス（これ以降まとめて「画像ソース」と呼ぶ）のＳＳＬ光放出ピクセルは、発光ダイオード（ＬＥＤ）若しくはレーザダイオード（ＬＤ）構造体、又は駆動回路構成によってオン‐オフ状態が制御されるいずれのソリッドステート光放出（好ましくは多色）構造体であってよく、あるいは一例として、ＯＬＥＤイメージャデバイスを含む画像ソース５５を含んでよい。
【００２８】
上で参照した米国特許の画像ソースの発光性マイクロスケールアレイは、関連する駆動ＣＭＯＳ回路構成によって個々に空間、色、時間的に個々にアドレス指定可能なものとして提供されると有益であり、これによりこのような画像ソースは、空間、色、時間的に変調された光を放出できる。上で参照した特許において開示されている画像ソースが放出する複数の色は、同一のピクセルアパーチャを共有することが望ましい。ピクセルアパーチャは、多色のコリメートされた（又は非ランバート）光を、約±５°〜約±４５°の発散角度で放出する。上で参照した特許の画像ソースの発光性アレイを構成するピクセルのサイズは典型的にはおよそ５〜２０マイクロメートルであり、画像ソースの典型的な発光表面積は、およそ１５〜１５０平方ミリメートルとなる。上述の特許の主題である画像ソースは、その発光性ピクセルアレイとデバイスの物理的縁部との間に最小の間隙又は境界を備え、これにより、多数の画像ソースデバイスを「傾斜（ｔｉｌｔ）」させて、視認者が定義する任意のサイズの表示領域を生成できる。しかしながら、図３Ａ、３Ｃ、４に示され、かつ上述されているように、本発明のレンズの周縁の周りに独立して分散される場合、傾斜させられるのは画像ソース自体ではなく複数の画像部分であり、これにより画像ソース自体の境界は、画像ソース自体が何らかの理由で傾斜しない限りは無関係となる。
【００２９】
本発明のレンズ５に光学的に結合された画像ソース５５は、好ましくは１〜１５ルーメンにわたる範囲内でデジタル制御可能な輝度を有するビデオ画像を、好ましくは本開示のデュアルモードＡＲ／ＶＲウェアラブルディスプレイ１の小型構成内への実用的な統合が可能となるように最小の電力消費で、生成できる。
【００３０】
画像ソース５５の制御可能な輝度レベルにより、デュアルモードＡＲ／ＶＲウェアラブルディスプレイ１の複数の動作モードに適合した適切な輝度レベルを生成できる。
【００３１】
レンズ５に光学的に結合された画像ソース５５は、（変調されて入力画像アパーチャ４０に結合されるピクセルの数及び境界に関して）デジタル制御可能な画像サイズ及び形状を生成するよう構成してよく、これにより、この制御可能な画像サイズ及び形状を用いて、可変制御サイズ及び形状を有する画像を、レンズ５の出口アパーチャ４５又は出口アパーチャ部分領域４５’に結合させる。
【００３２】
レンズ５に光学的に結合された画像ソース５５は好ましくは、上述のように各レンズ５専用の少なくとも１つの画像ソース５５、又は図４に示すように各画像ソース５５を異なる部分領域４５’に結合させるために、各レンズ５の複数の導波路構造体に結合された複数の画像ソース５５を備える。
【００３３】
各レンズ５の複数の入力画像アパーチャ４０に結合された複数の画像ソース５５を使用することによって、各画像ソース５５を別個の専用の出口アパーチャ部分領域４５’に効果的に結合させることにより、（典型的にはＴＩＲ導波条件を持続させるために必要な）導波路平坦性条件は、レンズ厚さ５’内のレンズ５のわずかな部分のみにわたってしか必要でなくなり、従ってレンズ５は、個々の出口アパーチャ部分領域４５’全体にわたって、「区分的に平坦」でありさえすればよい。これにより、非平面表面及び湾曲断面プロファイルを有する、全体として湾曲したレンズ５を使用できる。
【００３４】
レンズ５を「区分的に平坦」なものとして提供できることにより、典型的な導波路光学素子を使用する際に必要となる略平面のレンズではなく、湾曲形状のレンズを使用できる。湾曲レンズの区分的に平坦な部分により、本発明のデュアルモードＡＲ／ＶＲニアアイウェアラブルディスプレイ１に関して、より審美的に魅力のある眼鏡レンズ形状、及び最新の外観の使用が可能となる。
【００３５】
可能な選択肢としてデュアルモードＡＲ／ＶＲニアアイウェアラブルディスプレイ１の全体的な設計に応じて、画像ソース５５から導波路層５０に画像を直接投影できる。更なる選択肢として、全内部反射は、内部表面に対する光の入射角が臨界角未満であることしか必要とせず、内部反射の回数は通常多くはなく、例えば１回〜３回の範囲内であり、また所望の審美的効果を得るために、レンズ５の曲率半径を大きくする必要がないため、区分的に平坦なレンズ５ではなく、連続的に湾曲したレンズ５を使用できる。視認者に対して表示される画像部分は歪んでいるが、この画像部分を、画像ソース５５の適切なマイクロレンズ層等によって事前に逆に歪ませて、及び／又は電子的に補正して、歪みを除去できる。全内部反射を使用する場合、これは、内部反射が使用される場所、即ち各レンズ５の縁部付近においてのみ必要とされることに留意されたい。その他の点では、レンズ５は、通常のガラスのように緩やかに連続的に湾曲してよく、導波路層５０はこれに従って変化し、また必要な場合は、眼鏡フレームの縁部を張り出した縁部によって被覆してよく、これにより、連続的に湾曲した部分だけが通常視認可能となる。
【００３６】
各画像ソース５５を異なる専用の出口アパーチャ部分領域４５’に結合するために、各レンズ５の複数の入力導波路構造体４０に結合された、複数の画像ソース５５の使用により、更に、複数の画像ソース５５から出口アパーチャ部分領域４５’への光導波路が、異なる複数の方向から視認者の各瞳孔に集束する複数の光線を有することができる。
【００３７】
複数の入力画像アパーチャ４０に結合された複数の画像ソース５５の使用（ここで上記複数の入力画像アパーチャ４０はそれぞれ、異なる出口アパーチャ部分領域４５’に結合され、複数の画像ソース５５から複数の出口アパーチャ部分領域４５’を通して各光導波路に結合される）により、異なる画像ソース５５から放出された光を、異なる複数の方向から視認者の各瞳孔に集束させ、ここで各出口アパーチャ部分領域４５’に関連する画像ソース５５は好ましくは、異なる視線からのビュー（ｐｅｒｓｐｅｃｔｉｖｅ  ｖｉｅｗ）を変調し、デュアルモードＡＲ／ＶＲニアアイウェアラブルディスプレイ１にマルチビュー光照射野シーンを表示させることができる。
【００３８】
複数の導波路構造体４０に結合された複数のマルチビュー光照射野画像ソース５５の使用（ここで上記複数の導波路構造体４０はそれぞれ、異なる部分領域４５’に結合され、複数の画像ソース５５からそれぞれの出口アパーチャ部分領域４５’を通して光導波路に結合される）により、異なる画像ソース５５から放出されたマルチビュー光照射野を、異なる複数の方向から視認者の各瞳孔に集束させ、ここで各出口アパーチャ部分領域４５’に関連する画像ソース５５は、異なるマルチビュー視線を変調する。これにより、デュアルモードＡＲ／ＶＲニアアイウェアラブルディスプレイ１に、微細な（小さい）角度（ピッチ）解像度の光照射野を、幅広い視野（ｆｉｅｌｄ  ｏｆ  ｖｉｅｗ：ＦＯＶ）にわたって変調させることができ、これにより複数の画像ソース５５の視認者の眼への主要な光線の角度によって、大まかな方向の変調（例えば全ＦＯＶ内の複数の主要な光線間の１５°の角度分離）が達成され、また、画像ソース５５が、その各出口アパーチャ部分領域４５’の方向内の微細な角度分離ピッチによって隔てられた異なる複数の視線のセットを変調することによって、微細な方向の変調（例えば部分領域ＦＯＶ内の複数のビュー間の０．５°の角度分離）が達成される。
【００３９】
複数の導波路構造体４０に結合された複数のマルチビュー光照射野画像ソース５５の使用により、視認者の各瞳孔に十分な数のビュー（好ましくは瞳孔１つに対して８〜１２個のビュー（ただし少なくとも６つのビューが水平視差に沿っている））を提供する光照射野を、いわゆる「輻輳調節矛盾（ｖｅｒｇｅｎｃｅ  ａｃｃｏｍｍｏｄａｔｉｏｎ  ｃｏｎｆｌｉｃｔ：ＶＡＣ）」効果（これは視認者の深刻な不快感を引き起こすものであり、また従来技術のニアアイ自動立体ディスプレイではよく発生するものである）を実質的に排除する程度まで変調でき、従って本開示のデュアルモードＡＲ／ＶＲニアアイウェアラブルディスプレイ１をＶＡＣフリーディスプレイとすることができる。
【００４０】
複数の導波路構造体４０に結合された複数の画像ソース５５の使用により、例えば限定するものではないが、１つの眼に対して１００万ピクセルを実現するために、それぞれ１２５，０００個の１０マイクロメートルのピクセルを有する８つの画像ソース５５を用いて、各ディスプレイレンズ５に光学的に結合される画像ソース５５の数を増加させることにより、又は例えば限定するものではないが、１つの眼に対して２００万ピクセルの表示を可能とするために、上述の例と同一の物理的サイズを有するものの５００，０００個の５マイクロメートルのピクセルを有する８つの画像ソース５５を用いて、画像ソース５５のピクセルサイズを低減することにより、（視認者に対して表示されるピクセルの数という点で）ディスプレイの解像度を上昇させることができる。
【００４１】
各レンズ５の複数の導波路構造体４０それぞれに結合された複数の画像ソース５５の使用により、１つの眼に対して高いピクセル解像度を実現でき、視認者の各瞳孔に対して十分な数のビューを変調することによって、視認者に対してデジタルホログラフィック画像又は光照射野画像を変調できる。
【００４２】
電子制御可能な画像サイズ及び形状を有する画像ソース５５を用いることにより、デュアルモードＡＲ／ＶＲウェアラブルディスプレイ１の様々な動作モード及び光学画像の歪みに適合する適切な画像サイズ及び形状を生成できる。
【００４３】
図２に戻ると、デュアルモードＡＲ／ＶＲニアアイウェアラブルディスプレイ１は、１つの眼に対して少なくとも１つの眼追跡センサ６５を備えてよく、眼追跡センサ６５の出力は、各眼の角度位置（又は視角）、虹彩の直径、２つの瞳孔の間の距離を含むがこれらに限定されない、視認者の眼の複数の所定のパラメータを検出するよう構成される。
【００４４】
眼追跡センサ６５は、ＣＭＯＳ検出器アレイデバイス等の複数の画像検出センサを備えてよく、これらは各レンズ５の入力画像アパーチャ４０に結合され、これにより各眼追跡センサ６５は、各レンズ５の光導波路構造体４０の光伝達機能を利用するために、画像ソース５５付近に位置決めされる。これにより、各レンズ５の光導波路構造体４０を、２つの機能、即ち：複数の画像ソース５５から導波路層へ、又は複数の画像ソース５５から各眼への光経路としての機能；及び各眼から１つ又は複数の画像検出用眼追跡センサ６５への逆方向の光経路としての機能を果たすように使用できる。
【００４５】
複数の画像検出用眼追跡センサ６５が捕捉した複数の画像を１つに混合（又は融合）して、各瞳孔の捕捉画像を形成してよく、またディスプレイ出口アパーチャ４５又は出口アパーチャ部分領域４５’の画像を形成し、これを用いて複数の出口アパーチャ部分領域４５’にわたる色及び輝度の均一性を判断してよい。
【００４６】
眼追跡センサ６５を利用して、複数のディスプレイ出口アパーチャ部分領域４５’にわたる輝度及び色の均一性を検出してよく、これにより、１つ又は複数の眼追跡センサ６５が捕捉した画像を分析して、各ディスプレイ出口アパーチャ部分領域４５’の輝度及び色を決定する。続いて、決定された値を比較し、これに従って、複数の導波路構造体４０に結合された複数の画像ソース５５の輝度及び／又は色を調整することにより、出口アパーチャ部分領域４５’のセット全体にわたる色及び輝度を、例えば１０％である所与の視認者定義型閾値内で均一なものとすることができる。
【００４７】
次に、眼追跡センサ６５の眼パラメータ出力を利用して、各レンズ５の複数の入力画像アパーチャ４０に結合された複数のマルチビュー光照射野画像ソース５５のパラメータを調整すること、例えば：１°〜２°の範囲内の「目視（ｅｙｅ‐ｌｏｏｋ）」方向におけるディスプレイ解像度をその最高レベルまで調整すること；又は検出された眼パラメータから推定された深さにおいて光照射野圧縮基準ホログラフィック要素（ホーゲル）を選択すること；又は眼が焦点を合わせる深さに適合するように、合成ホログラフィック３Ｄ画像の深さを調整すること；又は１°〜２°の範囲の目視方向内における輝度若しくは色を調整すること、例えば１°〜２°の範囲の目視方向の外側の画像領域内の視線、解像度、輝度及び／若しくは色をぼかす、低減する及び／若しくは調整することによって、各眼に関する表示パラメータを調整してよい。
【００４８】
画像ソース５５と、レンズ５に光学的に結合された、画像均一化機能を実施するよう構成された１つ又は複数の眼追跡センサ６５とは、好ましくは図１、２に示すようなデュアルモードＡＲ／ＶＲウェアラブルディスプレイ１の眼鏡フレームのテンプル組立体７５内又は眼鏡のテンプルに一体化された小型プリント回路として構成される、インタフェース・制御・処理要素（ＩＣＰＥ）に電気的に結合されてよい。ＩＣＰＥは通常、プログラム制御下で動作する。
【００４９】
デュアルモードＡＲ／ＶＲウェアラブルディスプレイインタフェース・制御・処理要素（ＩＣＰＥ）から画像ソース５５への電気的結合は、例えばデジタルビデオ入力信号、輝度制御並びに画像サイズ及び形状制御信号を組み入れてよい。
【００５０】
デュアルモードＡＲ／ＶＲウェアラブルディスプレイ１のインタフェース・制御・処理要素（ＩＣＰＥ）は更に、眼鏡のフレームのテンプル組立体７５内の無線及び有線両方のインタフェースと、デュアルモードＡＲ／ＶＲウェアラブルディスプレイ１が図２で確認できるような画像記憶ソース又は制御ホストプロセッサ及び／若しくはサーバに無線又は有線でインタフェース連結して接続できるようにする、接続能力とを備えてよい。
【００５１】
眼追跡センサ６５からの処理フィードバック入力に必要な画像処理能力を、デュアルモードＡＲ／ＶＲウェアラブルディスプレイ１のインタフェース・制御・処理要素（ＩＣＰＥ）内に実装してよい。
【００５２】
デュアルモードＡＲ／ＶＲウェアラブルディスプレイ１のインタフェース・制御・処理要素（ＩＣＰＥ）は更に、両眼に対して表示された画像を、視線及び時間の両方の面で同期させる能力を備えてよい。
【００５３】
デュアルモードＡＲ／ＶＲウェアラブルディスプレイ１のインタフェース・制御・処理要素（ＩＣＰＥ）は更に、図２に示すようにデュアルモードＡＲ／ＶＲウェアラブルディスプレイ１の傾斜及び配向の感知（頭を追跡する能力）を可能とするための、好ましくはマイクロスケールのジャイロ及び加速度計を用いて実装される傾斜及び配向センサ８０を備えてよい。
【００５４】
デュアルモードＡＲ／ＶＲウェアラブルディスプレイ１のインタフェース・制御・処理要素（ＩＣＰＥ）は更に、デュアルモードＡＲ／ＶＲウェアラブルディスプレイの周囲光環境の輝度を感知できるようにするための、１つ又は複数の周囲光センサ８５を備えてよい。
【００５５】
デュアルモードＡＲ／ＶＲウェアラブルディスプレイ１のインタフェース・制御・処理要素（ＩＣＰＥ）は更に、感知されたデュアルモードＡＲ／ＶＲウェアラブルディスプレイ１の周囲光、傾斜、配向（周囲光、傾斜及び配向センサの出力データ）を、接続された画像ソース５５、並びに制御ホストプロセッサ及び／又はサーバに出力するための、インタフェース連結能力を備えてよい。
【００５６】
デュアルモードＡＲ／ＶＲウェアラブルディスプレイ１のインタフェース・制御・処理要素（ＩＣＰＥ）は更に、デュアルモードＡＲ／ＶＲウェアラブルディスプレイ１に提供される入力電力を変換、調節及び管理するために使用される、電力コンバータ回路及び電力管理回路構成９０を備えてよい。
【００５７】
デュアルモードＡＲ／ＶＲウェアラブルディスプレイ１のインタフェース・制御・処理要素（ＩＣＰＥ）は更に、自律型（又は非電源接続）動作モードを実現するために電力コンバータ及び電力管理回路構成に結合されたバッテリパックを、電力管理回路構成の一部として備えてよい。
【００５８】
デュアルモードＡＲ／ＶＲウェアラブルディスプレイ１のインタフェース・制御・処理要素（ＩＣＰＥ）は更に、電源接続動作モードを実現するために電力コンバータ及び電力管理回路構成９０に結合された、入力電力インタフェースを備えてよい。
【００５９】
デュアルモードＡＲ／ＶＲウェアラブルディスプレイ１のインタフェース・制御・処理要素（ＩＣＰＥ）は更に、好ましくは図５に示すように、デュアルモードＡＲ／ＶＲウェアラブルディスプレイ１のウェアラブルディスプレイのフレームのテンプル組立体９５のうちの少なくとも１つの末端部分に配置された、デュアルモードＡＲ／ＶＲウェアラブルディスプレイへの電力、データ及び制御用インタフェース連結を実現するための小型入力コネクタを備えてよい。
【００６０】
湾曲レンズ５及び光導波路構造体４０という特徴を利用することにより、デュアルモードＡＲ／ＶＲウェアラブルディスプレイ組立体１を、視認者の前頭部プロファイルに適合するように湾曲させることができ、ここでテンプル組立体７５及びレンズフレームは、デュアルモードＡＲ／ＶＲウェアラブルディスプレイ１の視認領域内に過剰な周囲光が漏れるのを十分に最小化するために、垂直軸に沿って延在する。
【００６１】
デュアルモードＡＲ／ＶＲウェアラブルディスプレイ１は、（ディスプレイのテンプルを触ることによって若しくは音声コマンドによって）ディスプレイの視認者によって、又は画像ソースホストプロセッサ及び／若しくはサーバから入力されたインタフェース・制御・処理要素データ内に埋め込まれたコマンドによって、命令されたとおりに、仮想現実ＶＲモード、拡張現実ＡＲモード又はハイブリッドＡＲ／ＶＲモードで動作するよう構成してよい。
【００６２】
ＶＲモードでは、レンズ５の電気着色層１５に結合される電気信号のレベルを適切に設定することにより、デュアルモードＡＲ／ＶＲウェアラブルディスプレイ１のレンズ５の着色を最大値まで増大させる（又は透過率を最小値まで低減させる）ことができ、これにより、レンズ画像ソース’５５の出力画像の輝度を、ディスプレイの視認者の好みとして設定されたＶＲ輝度レベルに適合するよう低減できる。
【００６３】
ＶＲモードでは、デュアルモードＡＲ／ＶＲウェアラブルディスプレイ１は、感知された傾斜及び配向データを画像ソースに提供してよく、これは画像ソースがデュアルモードＡＲ／ＶＲウェアラブルディスプレイ１に、視認者の頭の傾斜及び配向に応じて適切に生成されたＶＲ画像を提供するためである。特にＡＲモードでは、視認者の頭の傾斜又は位置の変化は、上記傾斜及び配向データに応じて電子的に補正しない限り、拡張画像の見かけの位置を傾斜又は変化させるものの現実の画像の見かけの位置は傾斜又は変化させないことになる。
【００６４】
デュアルモードＡＲ／ＶＲウェアラブルディスプレイ１のＶＲモードでは、（ディスプレイのアームの外側表面上に位置するタッチセンサに触れることによって、若しくは音声コマンドによって）視認者がディスプレイにそのように命令した場合、又は感知された傾斜及び配向データが、視認者によって好みとして設定されたデフォルトの視認体積（若しくはボックス）の外側に視認者の頭があることを示している場合、レンズの着色を、ディスプレイの視認者によって定義された最小レベルまで低減できる。これにより、ある一定の物理的視認ボックスを設定し、その外側ではディスプレイの視認者が安全に動き回ることができるようにディスプレイのレンズの着色を低減することによって、ディスプレイの視認者は、デュアルモードＡＲ／ＶＲウェアラブルディスプレイ１を装着したまま安全に動き回ることができる。
【００６５】
ＶＲモードでは、デュアルモードＡＲ／ＶＲウェアラブルディスプレイ１を、２Ｄ又は３Ｄ光照射野画像を表示するよう再構成してよく、これにより、ディスプレイが感知した傾斜及び配向データを画像ソースデバイスが使用して、２Ｄ及び３Ｄ動作モードの両方において表示可能な視野を拡大するか、又は３Ｄ動作モードにおいて全視差３Ｄ視認体験を実現する。
【００６６】
ＡＲモードでは、周囲光センサ８５を用いてレンズの着色層１５に結合される電気信号のレベルを適切に設定することによって、デュアルモードＡＲ／ＶＲウェアラブルディスプレイ１のレンズ５の着色を、ディスプレイが感知した周囲光レベルに適合する所望の視認レベルまで、低減できる。表示される画像の輝度は、ディスプレイの視認者によって好みとして設定された、感知された周囲光レベル及び輝度レベルに適合するように、レンズ画像ソース５５の出力画像の輝度を低減することによって、増大させることができる。
【００６７】
ＡＲモードでは、デュアルモードＡＲ／ＶＲウェアラブルディスプレイ１は、ＩＣＰＥを通して画像ソース５５に傾斜及び配向データを提供してよく、これは画像ソース５５がデュアルモードＡＲ／ＶＲウェアラブルディスプレイ１に、視認者の頭の傾斜及び配向に応じて適切に生成されたＡＲ画像を提供するためである。ＡＲモードでは、レンズ５を通して視認できる画像（現実世界）と、コンピュータで生成された又はその他の拡張画像との両方が、調和させ、重ねた状態で視認可能であるため、補償を行わない場合、視認者の頭の傾斜及び配向がこれら２つの画像の相対位置を妨害することになる。ある好ましい実施形態では、いずれの一時点で表示される画像は、メモリに記憶され得るもの又は必要に応じて生成され得るもの（又はこれら両方）等の、更に大きな拡張画像の一部であると考えることができ、実際には、補償を目的として視認可能な領域を上記更に大きな画像の周りで単に移動させる又はねじることによって、頭の運動が効果的に補正される。その結果、いずれの部分領域４５’に表示されるいずれの１つの画像部分の物理的サイズが変化していない間も、表示されている上記更に大きな画像の上記一部、及びそれがいずれの１つの部分領域４５’に表示される方法は、頭の運動と共にＩＣＰＥによって変更され、これにより、現実の画像と拡張画像との整列が維持される。この特徴はＶＲモードにおいても有益となり得、視認者のＶＲ体験に付与される視認可能な画像の空間的位置が固定される。
【００６８】
ＡＲ又はＶＲモードにおいて、画像ソースによってレンズ５のいずれの部分領域に表示される画像は典型的には、縁部周辺に使用されない（黒色の又は「オフ」の）１つ又は複数の画像ソースピクセルを有することになることに留意されたい。これにより、部分領域に表示された画像の、ピクセルのインクリメントでの電子的な精密サイズ設定、配置及び角度位置が、非合理的な機械的整列要件等を回避できる。
【００６９】
デュアルモードＡＲ／ＶＲウェアラブルディスプレイ１のＡＲモードでは、ディスプレイのテンプルの外側表面上に位置するタッチセンサ１００に触れることによって、若しくは音声コマンドによって、視認者がディスプレイにそのように命令した場合、又は感知された周囲光データが、表示された画像のコントラストを低下させる点まで周囲光が増加していることを示している場合、レンズの着色を、ディスプレイの視認者によって設定されたレベルまで増大させることができる。
【００７０】
ＡＲモードでは、デュアルモードＡＲ／ＶＲウェアラブルディスプレイ１は２Ｄ又は３Ｄ光照射野を表示でき、これにより、ディスプレイが感知した傾斜及び配向データを画像ソース５５が使用して、２Ｄ及び３Ｄ動作モードの両方において表示可能な視野を拡大できるか、又は３Ｄ動作モードにおいて全視差３Ｄ視認体験を実現できる。
【００７１】
デュアルモードＡＲ／ＶＲウェアラブルディスプレイ１のハイブリッドＡＲ／ＶＲモードでは、埋め込まれたモード制御コマンドデータパケットを内包するディスプレイコンテンツによって、動作モードを制御でき、上記モード制御コマンドデータパケットは、表示されているシーンのコンテンツ及び／又は視認者の眼が向けられ、焦点を合わせている場所に応じて、デュアルモードＡＲ／ＶＲウェアラブルディスプレイ１に、表示された画像内の特定の対象物又は焦点面を、このようなシーン対象物又は焦点深さの着色レベル及び／又はコントラストレベルを修正することによって強調させる。
【００７２】
デュアルモードＡＲ／ＶＲウェアラブルディスプレイ１は、ＡＲ動作モードとＶＲ動作モードとの間を切り替えるため、及び各モードの様々な動作パラメータを制御するために、上で説明したように使用される、タッチ及び音声両方による制御能力を備えてよい。
【００７３】
タッチ制御能力は、ケーシング（又はエンクロージャー）の外側のテンプル組立体上に組み込まれたタッチセンサ１００として実装してよい。タッチセンサ１００は、単回タッチ、複数回タッチ、又はタッチ・アンド・ドラッグタイプのコマンドに応答するよう設計してよい。ＡＲモード及びＶＲモードの両方において、例示的な右側タッチセンサ１００のデフォルトの設定は、タッチセンサを制御してディスプレイレンズの染色レベルを制御するためのドラッグであり、左側タッチセンサ１００の設定は、タッチセンサを制御してディスプレイの輝度レベルを制御するためのドラッグである。ＶＲモードでは、いずれかの側部への単回のタッチは、ディスプレイの視認者が安全に動き回れるよう、ディスプレイのレンズの着色を変化させることができる。複数回のタッチを用いて、ディスプレイの視認者が彼らの需要に適合するように各動作モードパラメータを設定及び変更できるようにするプログラマブルメニューに基づいて、タッチセンサのデフォルト制御を変更してよい。
【００７４】
音声制御能力を提供することによって、ディスプレイの視認者が、ＡＲ、ＶＲ又はハイブリッドＡＲ／ＶＲといったディスプレイモード、及び輝度又は画像サイズといったディスプレイ動作パラメータを制御できるようにすることができる。
【００７５】
眼鏡のフレームのテンプル組立体７５の無線又は有線インタフェース連結能力によって、デュアルモードＡＲ／ＶＲウェアラブルディスプレイ１は、ハンドジェスチャセンサ１０５とインタフェース連結でき、これによりディスプレイの視認者は、ＡＲ、ＶＲ又はハイブリッドＡＲ／ＶＲといったディスプレイモード、及び輝度又は画像サイズといったディスプレイ動作パラメータを制御できまた、手、音声又はタッチジェスチャによって視認者の表示領域に対して追加したり除去したりすることができるソフトボタン又はアイコンを用いて、ディスプレイのコンテンツを制御及び／又は選択できる。
【００７６】
デュアルモードＡＲ／ＶＲウェアラブルディスプレイ１は更に、少なくとも１つの「リアリティ（ｒｅａｌｉｔｙ）」センサ１１０（好ましくは光照射野カメラ）を備えてよく、これは好ましくは、周囲光照射野コンテンツを捕捉して、捕捉した画像をインタフェース・制御・処理要素（ＩＣＰＥ）に結合し、続いてインタフェース・制御・処理要素（ＩＣＰＥ）は、表示される画像を混合又は融合して、ＡＲモードで視認される現実の視線にフィットさせ、光学的に適合させるか、又はリアリティセンサが捕捉した画像をＶＲモードで表示されるコンテンツに統合する。
【００７７】
デュアルモードＡＲ／ＶＲウェアラブルディスプレイ１は更に、入力画像データ又はビデオデータを圧縮フォーマット（例えばＭＰＥＧ又はＪＰＥＧ等）で受け取り、最初に入力画像を復元してからこれらを視認者に対して表示するか、又は復元処理及びメモリ要件を削減して電力消費を削減するために、以下で議論するビジュアル復元（Ｖｉｓｕａｌ  Ｄｅｃｏｍｐｒｅｓｓｉｏｎ）技法を用いて入力画像を視認者に対して直接表示する能力を備えてよい。
【００７８】
デュアルモードＡＲ／ＶＲウェアラブルディスプレイ１の複数の画像ソース５５は更に、（標準的な１ピクセルの変調ベースの代わりに）（ｎ×ｎ）ピクセルの高次ベースを用いて画像を変調し、画像の整合離散ウェーブレット変換（ｄｉｓｃｒｅｔｅ  ｗａｖｅｌｅｔ  ｔｒａｎｓｆｏｒｍ：ＤＷＴ）又は離散コサイン変換（ｄｉｓｃｒｅｔｅ  ｃｏｓｉｎｅ  ｔｒａｎｓｆｏｒｍ：ＤＣＴ）表現の係数（これらは典型的にはＭＰＥＧ及びＪＰＥＧ圧縮技法で使用される係数である）を変調し、これにより、デュアルモードＡＲ／ＶＲウェアラブルディスプレイ１が、圧縮画像データを直接用いて画像を変調できるようにする能力を備えてよい。これはデータ処理スループット及びメモリ使用量についての効率化をもたらし、結果的に、デュアルモードＡＲ／ＶＲウェアラブルディスプレイ１のインタフェース・制御・処理要素（ＩＣＰＥ）の体積及び電力消費要件を削減する。
【００７９】
デュアルモードＡＲ／ＶＲウェアラブルディスプレイ１は更に、光照射野圧縮技法及びフォーマットを用いて圧縮された入力画像又はビデオを受け取り、圧縮光照射野レンダリングを適用して、表示するべき光照射野を、圧縮基準ホログラフィック要素（ホーゲル）のセットから復元及び合成することにより、画像インタフェース帯域幅、圧縮処理及びメモリ要件を削減するため並びに電力消費を削減する能力を備えてよい。
【００８０】
デュアルモードＡＲ／ＶＲウェアラブルディスプレイ１は更に、クラウドサーバ１１５とインタフェース連結し、上記サーバに、検出した視認者の眼及び頭の位置及び配向に基づいて、圧縮光照射野ホログラフィック要素（ホーゲル）の選択されたセットをダウンロードするよう問い合わせ、次に上記サーバから、要求した光照射野ホログラフィック要素（ホーゲル）を受け取り、続いて圧縮光照射野レンダリングを適用して、表示するべき光照射野を、圧縮基準ホログラフィック要素（ホーゲル）のセットから復元及び合成する能力を備えてよい。これにより有益なことに、画像インタフェース帯域幅、並びに圧縮処理及びメモリ要件及び電力消費が更に削減される。
【００８１】
デュアルモードＡＲ／ＶＲウェアラブルディスプレイ１は更に、クラウドサーバ１１５とインタフェース連結し、上記サーバに、検出した視認者の眼の焦点深さ又は距離に基づいて、ここでは基準ホーゲルと呼ばれる、圧縮光照射野ホログラフィック要素（ホーゲル）の選択されたセットをダウンロードするよう問い合わせ、次に上記サーバから、要求した基準光照射野ホーゲルを受け取り、続いて圧縮光照射野レンダリングを適用して、表示するべき光照射野を、圧縮基準ホーゲルのセットから復元及び合成することにより、画像インタフェース帯域幅、並びに圧縮処理及びメモリ要件及び電力消費を更に削減する能力を備えてよい。
【００８２】
デュアルモードＡＲ／ＶＲウェアラブルディスプレイ１は更に、ネットワーク化光照射野写真クラウドサーバとして構成されたクラウドサーバ１１５とインタフェース連結し、上記サーバと対話して、そのリアリティセンサ１１０が捕捉した周囲光照射野画像をアップロードし、視認者が拡大した光照射野の画像をダウンロードすることによって、視認者が、自身の視認範囲を超えた周囲光照射野、即ち拡大された光照射野のコンテンツを視認できるようにするか、又はディスプレイの視認者が、ディスプレイのＶＲ又はＡＲモードを用いて、ダウンロードされた光照射野をブラウズできるようにする能力を備えてよい。
【００８３】
デュアルモードＡＲ／ＶＲウェアラブルディスプレイ１は更に、クラウドサーバ１１５とインタフェース連結して、１つ又は複数の眼追跡センサ６５が検出した眼のパラメータ（例えば視角及び焦点の深さ）に応じてビデオデータセットの選択された一部分のビデオコンテンツをダウンロードするよう問い合わせる能力を備えてよい。
【００８４】
デュアルモードＡＲ／ＶＲウェアラブルディスプレイ１は更に、オーディオスピーカ及びマイクロフォンを備えてよいオーディオインタフェース１２０とインタフェース連結する能力を備えてよく、上記オーディオスピーカ及びマイクロフォンはいずれもテンプル組立体７５の体積の周囲に一体化され、これによりマイクロフォンは、インタフェース・制御・処理要素（ＩＣＰＥ）に電気的に結合されて、インタフェース・制御・処理要素（ＩＣＰＥ）の音声認識処理要素（ソフトウェア）に視認者の音声コマンドをインタフェース連結するために使用され、またスピーカは、インタフェース・制御・処理要素（ＩＣＰＥ）に電気的に結合されて、オーディオコンテンツを視認者にインタフェース連結するために使用される。
【００８５】
複数の画像ソース５５及び眼追跡センサ６５と、リアリティセンサ１１０及びインタフェース・制御・処理要素（ＩＣＰＥ）とは、それぞれニアアイウェアラブルディスプレイ眼鏡フレームのレンズベゼルのリム及びテンプルの体積の周囲に埋め込んでよく、これにより、図１に示すもののような、公の場で着用した場合に審美的及び美容的に魅力的な、最新の外観のニアアイウェアラブルディスプレイ眼鏡を形成できる。
【００８６】
デュアルモードＡＲ／ＶＲウェアラブルディスプレイ１には、対象物、アイコン及び／又はマーカの参照画像を度々表示することを期待でき、またデバイスの処理要素は更に、表示されるコンテンツ内に頻繁に出現する対象物、アイコン及び／又はマーカの参照画像のサブセットを、そのインタフェース・制御・処理要素のメモリにおいて常に把握し、続いて、この参照画像のサブセットの細部を簡約するか又はその解像度を低下させて、処理及びメモリ要件を削減し、電力消費を削減する能力を備えてよい。この特徴は、よく知られた又は過去に視覚的に感知された対象物及び画像を認識及び／又は識別するために必要な細部を仮想的に書き込むことにより、ヒト視覚系（ｈｕｍａｎ  ｖｉｓｕａｌ  ｓｙｓｔｅｍ：ＨＶＳ）の認知能力を活用して、応答の遅延、処理スループット及びメモリ要件、並びに電力消費に関するデュアルモードＡＲ／ＶＲニアアイウェアラブルディスプレイ１の効率を最大化する。
【００８７】
デュアルモードＡＲ／ＶＲウェアラブルディスプレイ１は更に、デバイスに表示するべきコンテンツをフレーム毎に分析して、色域原色の座標に対して色域サイズを推定し、続いて、視認者に表示されている画像の変調時に測定した色域原色を用いて、複数の画像ソース５５に、推定された色域を合成するよう命令する能力を備えてよい。この特徴は、画像コンテンツの色域が典型的には、上述のレーザダイオード又はＬＥＤ系の画像ソース５５によって合成できる色域全体よりもはるかに小さいという事実を活用して、輝度、純色量、処理スループット及びメモリ要件並びに電力消費に関するデュアルモードＡＲ／ＶＲニアアイウェアラブルディスプレイ１の効率を最大化する。
【００８８】
ここでは図２に示されているＩＣＰＥ及びホストプロセッサを参照するが、これらはいずれも１つ又は複数の処理要素を含み、上記処理要素は必要に応じてメモリを含む。いずれの処理は、無線又は有線通信を用いて、図１のデバイス上で、又は図１のデバイスから離れて、又はその両方で実施できることを理解されたく、また後続の請求項中での処理要素に関する言及は、図１のデバイス上の、及び／又は図１のデバイスから離れた、１つ又は複数の処理要素に言及しているものと理解されたい。
【００８９】
当業者は、本発明の精神及び範囲から逸脱することなく、多数の改変及び修正を実施してよい。従って、図示されている実施形態は例示のみを目的として記載されていること、及び図示されている実施形態は、本出願に対する優先権を主張するいずれの後続の出願のいずれの請求項によって定義されるように本発明を限定するものとして解釈してはならないことを理解しなければならない。
【００９０】
例えば、いずれのこのような請求項の複数の要素がある特定の組み合わせで記載される場合があるという事実にもかかわらず、本発明は、上で開示されている更に少ない、更に多い、又は異なる要素の他の組み合わせを、最初にはこのような組み合わせで請求されていない場合でさえ、含むことを、はっきりと理解しなければならない。
【００９１】
本発明及びその様々な実施形態を説明するために本明細書中で使用される語句は、その一般的に定義された意味だけでなく、本明細書中での特別な定義によって、一般的に定義された意味を超える構造、材料、又は行為を含むものとして理解するべきである。従って、本明細書の文脈において、ある要素が２つ以上の意味を含むものとして理解できる場合、後続の請求項における上記要素の使用は、本明細書及びその語句自体がサポートするあらゆる可能な意味を包括するものとして理解しなければならない。
【００９２】
従って、本出願に対する優先権を主張するいずれの後続の出願のいずれの請求項の語句又は要素の定義は、逐語的に記載された要素の組み合わせだけでなく、略同一の結果を得るために略同一の方法で略同一の機能を実施するいずれの同等の構造、材料又は行為も含むものと定義するべきである。従ってこの意味において、以下の請求項中の要素のうちのいずれの１つに対して２つ以上の要素での置換を行うことができること、又はこのような請求項中の２つ以上の要素に対して単一の要素での置換を行うことができることが考えられる。
【００９３】
以上において、複数の要素が特定の組み合わせで作用するものとして説明されている場合があり、また以下でそのように請求されている場合があるが、請求されている組み合わせからの１つ又は複数の要素を、場合によっては上記組み合わせから削除できること、及びこのような請求されている組み合わせから部分組み合わせ又は部分組み合わせの変形例を導くことができることを、はっきりと理解されたい。
【００９４】
現時点で公知の又は将来考案される、いずれの以下で請求される主題からの、当業者から見て非現実的な変更は、同様にこのような請求項の範囲内であるものと明らかに考えられる。従って、現時点で又は将来において当業者に公知である明らかな置換は、定義されている要素の範囲内であるものとして定義される。
【００９５】
よって、本出願に対する優先権を主張するいずれの後続の出願のいずれの請求項は、以上で具体的に例示及び説明されたもの、概念的に同等であるもの、明確に置換可能なもの、及び本発明の基本的着想を本質的に援用するものを含むものとして理解するべきである。
【図１】
2018533765.tif 000003
【図２】
2018533765.tif 000004
【図３Ａ】
2018533765.tif 000005
【図３Ｂ】
2018533765.tif 000006
【図３Ｃ】
2018533765.tif 000007
【図４】
2018533765.tif 000008
【図５】
2018533765.tif 000009
【国際調査報告】
2018533765.tif 000010